(57)【特許請求の範囲】
【請求項１】
再同期トリガ方法であって、
アップリンクセカンダリキャリアセル（ＳＣＣ）がアクティブにされた直後に基地局により端末との再同期をトリガするステップであって、前記再同期のトリガ時点はＴ１である、ステップと、
前記基地局により、前記端末からの再同期フィードバック信号が事前設定された時間範囲内に受信されたか否かを検出し、受信されていない場合、再同期をトリガするステップであって、前記事前設定された時間範囲の開始時点はＴ１であり、前記事前設定された時間範囲の終了時点はＴ２であり、Ｔ２とＴ１との差は３０ミリ秒以下である、ステップと
を含む方法。
【請求項２】
前記基地局により、再同期フィードバック信号が事前設定された時間範囲内に受信されたか否かを検出し、受信されていない場合、再同期をトリガするステップは、
前記基地局により、事前設定された期間に基づいて、再同期フィードバック信号が前記事前設定された時間範囲内に受信されているか否かを検出し、受信されていない場合、現時点ｔ１が前記事前設定された時間範囲内でなくなるまで再同期をトリガするステップを含む、請求項１に記載の方法。
【請求項３】
前記基地局により、再同期フィードバック信号が事前設定された時間範囲内に受信されたか否かを検出し、受信されていない場合に再同期をトリガするステップは、
前記基地局により事前設定された時間範囲内の時点ｔ２において、再同期フィードバック信号が受信されたか否かを検出し、受信していない場合、再同期要求を再度開始し、ｔ２＜Ｔ２である、ステップと、
前記基地局により時点Ｔ２において、再同期フィードバック信号が受信されたか否かを検出し、受信していない場合、最後に再同期要求を開始するステップと
を含む、請求項１に記載の方法。
【請求項４】
基地局であって、
アップリンクセカンダリキャリアセル（ＳＣＣ）がアクティブにされた直後に端末との再同期をトリガし、再同期のトリガ時点はＴ１であり、前記端末からの再同期フィードバック信号が事前設定された時間範囲内に受信されたか否かを検出し、受信されていない場合、再同期をトリガするように構成されたプロセッサを備え、前記事前設定された時間範囲の開始時点はＴ１であり、前記事前設定された時間範囲の終了時点はＴ２であり、Ｔ２とＴ１との差は３０ミリ秒以下である、基地局。
【請求項５】
前記プロセッサは、再同期フィードバック信号が前記事前設定された時間範囲内に受信されたか否かを事前設定された期間に基づいて検出し、受信されなかった場合、現時点ｔ１が前記事前設定された時間範囲内でなくなるまで再同期をトリガするように構成される、請求項４に記載の基地局。
【請求項６】
前記プロセッサは、前記事前設定された時間範囲内の時点ｔ２において、再同期フィードバック信号が受信されたか否かを検出し、受信されなかった場合、再同期要求を再度開始し、ｔ２＜Ｔ２であり、時点Ｔ２において、再同期フィードバック信号が受信されたか否かを検出し、受信していない場合、最後に再同期要求を開始するように構成される、請求項４に記載の基地局。
【請求項７】
アップリンクセカンダリキャリアセルＳＣＣがアクティブにされた直後に端末との再同期をトリガするように構成され、前記再同期のトリガ時点はＴ１である、再同期モジュールと、
前記端末からの再同期フィードバック信号が事前設定された時間範囲内に受信されたか否かを検出するように構成された検出モジュールと
を備え、
前記再同期モジュールは、前記検出モジュールが前記事前設定された時間範囲内に再同期フィードバック信号を受信していない場合、再同期をトリガするようにさらに構成され、前記事前設定された時間範囲の開始時点はＴ１であり、前記事前設定された時間範囲の終了時点はＴ２であり、Ｔ２とＴ１との差は３０ミリ秒以下である、基地局。
【請求項８】
前記検出モジュールは、事前設定された期間に基づいて、再同期フィードバック信号が前記事前設定された時間範囲内に受信されたか否かを検出するように構成される、請求項７に記載の基地局。
【請求項９】
前記検出モジュールは、前記事前設定された時間範囲内の時点ｔ２において再同期フィードバック信号が受信されたか否かを検出し、受信していない場合は時点Ｔ２において再同期フィードバック信号が受信されたか否かを検出するように構成され、ｔ２＜Ｔ２であり、
前記再同期モジュールは、前記検出モジュールが時点ｔ２において再同期フィードバック信号を受信していない場合、再同期要求を再度開始し、前記検出モジュールが時点Ｔ２において再同期フィードバック信号を受信していない場合、最後に再同期要求を開始するように構成される、請求項７に記載の基地局。
【請求項１０】
コンピュータ可読記憶媒体であって、命令を記憶し、前記命令がコンピュータ上で実行されると、前記コンピュータは、請求項１から３のいずれか一項に記載の再同期トリガ方法を実行することが可能になる、コンピュータ可読記憶媒体。
【請求項１１】
命令を含むコンピュータプログラムであって、前記コンピュータプログラムがコンピュータ上で実行されると、前記コンピュータは、請求項１から３のいずれか一項に記載の再同期トリガ方法を実行することが可能になる、コンピュータプログラム。
【請求項１２】
請求項１から３のいずれか一項に記載の再同期トリガ方法を実行するように構成されたプロセッサを備えた、チップシステム。
【発明の詳細な説明】
【技術分野】
【０００１】
本出願は、２０１７年６月８日に中国特許庁に出願され、「再同期トリガ方法および基地局」と題された中国特許出願番号第２０１７１０４２７４４４．７の優先権を主張し、その全体が参照により本明細書に組み込まれる。
【０００２】
本出願は通信分野に関し、特に、再同期トリガ方法および基地局に関する。
【背景技術】
【０００３】
キャリアアグリゲーション（Ｃａｒｒｉｅｒ  Ａｇｇｒｅｇａｔｉｏｎ、ＣＡ）技術がますます成熟するにつれて、アップリンクＣＡ技術により多くの要件が課されている。アップリンクＣＡの復調性能を確保するために、基地局はタイミングアドバンス（Ｔｉｍｉｎｇ  Ａｄｖａｎｃｅ、ＴＡ）を端末に送信する。端末は、ＴＡに基づいてアップリンク同期を維持する。アップリンクＣＡシナリオでは、端末は複数のセルでアップリンクデータを送信し得るが、複数のセルのＴＡは異なり得る。したがって、端末は複数のタイミングアドバンス（Ｍｕｌｔｉｐｌｅ  Ｔｉｍｉｎｇ  Ａｄｖａｎｃｅｓ、ＭＴＡｓ）を同時に維持する必要があり得る。
【０００４】
従来技術では、ＭＴＡｓが有効にされると、基地局は、アップリンクセカンダリキャリアセル（Secondary Carrier Cell、ＳＣＣ）がアクティブになってから３０ミリ秒後に再同期をトリガする必要がある。基地局が再同期をトリガする前に比較的長い時間が経過し、その結果、アップリンクのスループットが低下する。
【発明の概要】
【０００５】
本出願は、既存の再同期トリガ方法により引き起こされるアップリンクのスループットの低下の問題を解決するための、再同期トリガ方法および基地局を提供する。
【０００６】
前述の目的を達成するために、この出願は以下の技術的解決策を提供する。
【０００７】
本出願の第１の態様は、基地局により、アップリンクセカンダリキャリアセルＳＣＣがアクティブにされた直後に再同期をトリガするステップであって、再同期のトリガ時点はＴ１であるステップと、基地局により、再同期フィードバック信号が事前設定された時間範囲内に受信されたか否かを検出し、受信していない場合、再同期をトリガするステップであって、事前設定された時間範囲の開始時点がＴ１であり、事前設定された時間範囲の終了時点がＴ２であり、Ｔ２とＴ１との差は３０ミリ秒以下である、ステップとを含む再同期トリガ方法を提供する。基地局は、アップリンクセカンダリキャリアセルＳＣＣがアクティブにされた直後に再同期をトリガする。したがって、再同期をトリガするための遅延時間を減らすことができ、それによりアップリンクのスループットが向上する。さらに、再同期フィードバック信号が事前設定された時間範囲内に受信していない場合、基地局は再同期を再トリガする。したがって、さまざまな端末をサポートすることができ、これにより、端末が物理ダウンリンク制御チャネルコマンドを正しく復調することができるようになる。
【０００８】
本出願の第２の態様は、アップリンクセカンダリキャリアセルＳＣＣがアクティブにされた直後に再同期をトリガし、再同期フィードバック信号が事前設定された時間範囲内に受信されたか否かを検出し、受信していない場合は再同期をトリガするように構成されたプロセッサを含み、再同期のトリガ時点はＴ１であり、事前設定された時間範囲の開始時点はＴ１であり、事前設定された時間範囲の終了時点はＴ２であり、Ｔ２とＴ１との差は３０ミリ秒以下である、基地局を提供する。したがって、基地局はＣＡのアップリンクのスループットを向上させることができる。
【０００９】
本出願の第３の態様は、再同期モジュールおよび検出モジュールを含む基地局を提供する。再同期モジュールは、アップリンクセカンダリキャリアセルＳＣＣがアクティブにされた直後に再同期をトリガするように構成され、再同期のトリガ時点はＴ１である。検出モジュールは、再同期フィードバック信号が事前設定された時間範囲内に受信されたか否かを検出するように構成されている。再同期モジュールは、検出モジュールが事前設定された時間範囲内に再同期フィードバック信号を受信していない場合、再同期をトリガするようにさらに構成され、事前設定された時間範囲の開始時点はＴ１であり、事前設定された時間範囲の終了時点はＴ２であり、Ｔ２とＴ１との差は３０ミリ秒以下である。したがって、基地局はＣＡのアップリンクのスループットを向上させることができる。
【００１０】
一実装において、基地局により再同期フィードバック信号が事前設定された時間範囲内に受信されたか否かを検出し、受信していない場合、再同期をトリガすることは、事前設定された期間に基づいて基地局により、再同期フィードバック信号が事前設定された時間範囲内に受信されたか否かを検出し、受信していない場合は、現時点ｔ１が事前設定された時間範囲に属さなくなるまで、再同期をトリガすることを含む。
【００１１】
一実装において、再同期フィードバック信号が事前設定された時間範囲内に受信されるか否かを基地局により検出し、受信していない場合、再同期をトリガすることは、事前設定された時間範囲内の時点ｔ２において、基地局により、再同期フィードバック信号が受信されたか否かを検出し、受信していない場合、再同期要求を再度開始し、ここでｔ２＜Ｔ２であることと、時点Ｔ２において、基地局により、再同期フィードバック信号が受信されたか否かを検出し、受信されていない場合、最後に再同期要求を開始することとを含む。このメカニズムでは、再同期が３回送信される。これにより、リソースを節約しながら、アップリンクのスループットを向上させることができる。
【００１２】
本出願の第４の態様は、コンピュータ可読記憶媒体を提供し、コンピュータ可読記憶媒体は命令を格納し、命令がコンピュータ上で実行されると、コンピュータは前述の再同期トリガ方法を実行することが可能になる。
【００１３】
本出願の第５の態様は、命令を含むコンピュータプログラム製品を提供し、コンピュータプログラム製品がコンピュータ上で実行されると、コンピュータは前述の再同期トリガ方法を実行することが可能になる。
【００１４】
本出願の第６の態様は、前述の再同期トリガ方法を実行するように構成されたプロセッサを含むチップシステムを提供する。
【図面の簡単な説明】
【００１５】
【図１】本出願の一実施形態において開示される再同期トリガ方法のフローチャートである。
【図２】本願の一実施形態において開示される別の再同期トリガ方法のフローチャートである。
【図３】本願の一実施形態において開示される基地局の概略構造図である。
【図４】本出願の一実施形態において開示される別の基地局の概略構造図である。
【発明を実施するための形態】
【００１６】
本出願の実施形態で開示される再同期トリガ方法は、ＭＴＡが有効にされるシナリオに適用される。具体的には、ＭＴＡが有効にされるシナリオは、ＣＡにおける非共通カバレッジ（２つのセルが異なるエリアをカバーする）シナリオ、またはＣＡの共通カバレッジ（２つのセルが同じエリアをカバーする）シナリオである。
【００１７】
この実施形態において、ＣＡは、２つのアップリンクキャリアのアグリゲーションであってもよく、またはＮ（Ｎは２より大きい整数）アップリンクキャリアのアグリゲーションであってもよい。
【００１８】
既存のプロトコルにおいて、アップリンクＳＣＣがアクティブにされてから３０ミリ秒後に基地局が再同期をトリガする理由は以下の通りである。すなわち、異なる端末は異なる復調性能を有し、一部の端末のアンテナはアップリンクＳＣＣがアクティブになった直後に機能せず、そして既存のプロトコルは、アンテナの起動遅延時間が３４ミリ秒であると指定し、それに対応して、既存のプロトコルはアップリンクＳＣＣがアクティブになってから３０ミリ秒後に基地局が再同期をトリガすることを指定する。
【００１９】
しかしながら、研究プロセスにおいて、アップリンクＳＣＣがアクティブにされた直後に基地局が再同期をトリガする場合、既存の端末が再同期信号、すなわち物理ダウンリンク制御チャネルオーダー（物理ダウンリンク制御チャネルオーダー、ＰＤＣＣＨオーダー）を正しく復調することができる確率が、８０％に達することが可能であることが見出された。
【００２０】
前述の知見に基づき、本出願は、端末の復調性能を低下させることなく再同期トリガ遅延時間を短縮し、それによりアップリンクＣＡのスループットを向上させる再同期トリガ方法を提供する。
【００２１】
図１は、本出願の一実施形態において開示される再同期トリガ方法を示す。この方法は以下の手順を含む。
【００２２】
Ｓ１０１：基地局は、アップリンクＳＣＣがアクティブにされた直後に再同期をトリガする。
【００２３】
上記の知見に基づき、アップリンクＳＣＣがアクティブにされた直後に再同期がトリガされる場合、大部分の端末は、ＰＤＣＣＨオーダーを正しく復調することができる。ＰＤＣＣＨオーダーを正しく復調することができない端末があることを考慮し、端末の復調精度を向上させるために、以下のステップを実行する。
【００２４】
Ｓ１０２：基地局は、事前設定された時間範囲内に再同期フィードバック信号が受信されたか否かを検出し、受信していない場合には再同期を開始する。受信している場合、基地局は既存のプロトコルで指定された後続のステップを実行する。詳細はここでは説明しない。
【００２５】
具体的には、事前設定された時間範囲の開始時点は、Ｓ１０１で再同期がトリガされる時点Ｔ１であり、事前設定された時間範囲の終了時点は、Ｔ２であり、Ｔ２とＴ１との差Ｔ２−Ｔ１は、３０ミリ秒以下であってもよい。
【００２６】
再同期フィードバック信号は、端末から送信されるプリアンブル（ｐｒｅａｍｂｌｅ）プリアンブル信号である。
【００２７】
任意選択で、基地局は、現時点ｔ１が事前設定された時間範囲に属さなくなるまで、事前設定された期間に基づいてＳ１０２を実行してもよい。
【００２８】
代替的に、エネルギー消費を低減し、リソースを節約するために、基地局は、図２に示すプロセスに従って再同期をトリガし得る。図２において、Ｓ２０２およびＳ２０３は、Ｓ１０２の具体的実装である。
【００２９】
Ｓ２０１：アップリンクＳＣＣがアクティブにされた直後に、基地局は再同期要求を開始する。
【００３０】
Ｓ２０２：基地局は、事前設定された時間範囲内の時点ｔ２（ここで、ｔ２＜Ｔ２）において、再同期フィードバック信号が受信されたか否かを検出し、受信していなければ再同期要求を再度開始する。
【００３１】
Ｓ２０３：基地局は、時点Ｔ２において、再同期フィードバック信号が受信されたか否かを検出し、受信していない場合には、最後に再同期要求を開始する。
【００３２】
図１および図２から、本出願の実施形態に開示された再同期トリガ方法では、基地局がより良いタイミングで最初に再同期を開始することを理解することができる。具体的には、基地局は、アップリンクＳＣＣが起動された直後に再同期要求を開始する。このメカニズムは、ほとんどの端末がＰＤＣＣＨオーダーを正しく復調することができることを確実にすることができる。ＰＤＣＣＨオーダーを正しく復調することができない端末の場合、基地局は、最大遅延時間が経過する前に再同期を再トリガし、最初に再同期を開始するタイミングが変更されるために端末の性能が影響を受けないことを確実にする。
【００３３】
任意選択で、基地局はＳ２０３を実行しなくてもよい。すなわち、基地局は時点Ｔ２でのみ検出を行い、再同期フィードバック信号を受信していない場合には、再同期要求を再度開始する。
【００３４】
実際の適用では、端末のＰＤＣＣＨオーダー復調精度およびリソース消費の両方を考慮して、Ｓ１０１に示すステップを実際の要求に基づいて柔軟に調整してもよいことに留意されたい。
【００３５】
図３は、本出願の一実施形態に開示された基地局を示す。基地局はプロセッサを含み、任意選択でメモリをさらに含む。
【００３６】
プロセッサは、アップリンクセカンダリキャリアセルＳＣＣがアクティブにされた直後に再同期をトリガし、ここで再同期のトリガ時点はＴ１であり、再同期フィードバック信号が事前設定された時間範囲内に受信されたか否かを検出し、受信されていなければ、再同期をトリガするように構成され、ここで事前設定された時間範囲の開始時点はＴ１であり、事前設定された時間範囲の終了時点はＴ２であり、Ｔ２とＴ１との差は３０ミリ秒以下である。
【００３７】
プロセッサの機能の具体的な実装プロセスについては、前述の方法の実施形態を参照されたい。詳細については、ここでは再度説明しない。
【００３８】
メモリは、プロセッサの機能を実装するために使用されるアプリケーションプログラムを格納し、かつアプリケーションプログラムの実行プロセスにおいて生成されたデータを格納するように構成される。
【００３９】
図３に示す基地局は、アップリンクＳＣＣがアクティブにされた直後に再同期要求を開始し、基地局が再同期フィードバックを受信していない場合には、基地局は最大３０ミリ秒後に再同期要求を再送する。したがって、これにより、端末による復調を確実にしつつ、アップリンクＣＡのスループットを向上させることができる。
【００４０】
図４は、本出願の一実施形態に開示された基地局を示す。基地局は、再同期モジュールおよび検出モジュールを含む。
【００４１】
再同期モジュールは、アップリンクセカンダリキャリアセルＳＣＣがアクティブにされた直後に再同期をトリガするように構成され、ここで、再同期のトリガ時点はＴ１である。検出モジュールは、再同期フィードバック信号が事前設定された時間範囲内に受信されたか否かを検出するように構成される。再同期モジュールは更に、検出モジュールが事前設定された時間範囲内に再同期フィードバック信号を受信していない場合、再同期をトリガするように構成され、ここで事前設定された時間範囲の開始時点はＴ１であり、事前設定された時間範囲の終了時点はＴ２であり、Ｔ２とＴ１との差は３０ミリ秒以下である。
【００４２】
具体的には、検出モジュールは、事前設定された時間範囲内に再同期フィードバック信号が受信されたか否かを周期的に検出してもよい。
【００４３】
あるいは、検出モジュールは、事前設定された時間範囲内の時点ｔ２において、再同期フィードバック信号が受信されたか否かを検出し、受信していない場合には、時点Ｔ２において、再同期フィードバック信号が受信されたか否かを検出し、ここでｔ２＜Ｔ２である。
【００４４】
検出モジュールが時点ｔ２において再同期フィードバック信号を受信していない場合、再同期モジュールは再同期要求を再度開始し、検出モジュールが時点Ｔ２において再同期フィードバック信号を受信していない場合、再同期モジュールは最後に再同期要求を開始する。
【００４５】
したがって、図４に示す基地局は、端末による正しい復調を保証する一方、アップリンクＣＡのスループットを向上させることができる。さらに、３つの再同期要求が開始されるメカニズムを使用して、スループットを向上させる一方でリソースを節約する。
【図１】
0006980038.tif 000002
【図２】
0006980038.tif 000003
【図３】
0006980038.tif 000004
【図４】
0006980038.tif 000005